(57)【要約】【課題】加熱手段が不要で比較的小型であり、優れた水蒸気白煙防止機能を発揮する、水蒸気白煙防止装置を提供する。【解決手段】水蒸気白煙防止装置７は、高温飽和水蒸気を含む混合気体Ｇを取り込む気密性の第１チャンバ１１と、この第１チャンバ１１内に配置され混合気体Ｇを水に接触させる気液接触装置１０と、この気液接触装置１０を通過した混合気体Ｇを取り込んで当該混合気体Ｇに外気を混入させて外部へ放出する気密性の第２チャンバ１２とを備えている。気液接触装置１０は、第１チャンバ１１と第２チャンバ１２とを区画する隔壁１４に固定されている。気液接触装置１０は、散水ノズル１８および水槽１９を備え、外部の給水源１５から配管された給水管１６が散水ノズル１８に接続され、給水管１７が水槽１９に配管されている。【選択図】  図２
2005046739.tif 000002
【特許請求の範囲】
【請求項１】
水蒸気を含む混合気体を取り込む気密性の第１チャンバと、前記第１チャンバ内に配置され前記混合気体を水に接触させる気液接触手段と、前記気液接触手段を通過した前記混合気体を取り込んで当該混合気体に当該装置の外部空気を混入させて外部へ放出する気密性の第２チャンバとを備えたことを特徴とする水蒸気白煙防止装置。
【請求項２】
前記気液接触手段として、前記混合気体と接触させる水を供給する給水手段と、前記給水手段から供給される水を用いて前記混合気体と接触させる水滴を発生させるための散水器と、前記給水手段から供給される水を用いて前記混合気体の通過経路に前記混合気体が接触可能な水膜を形成するための通気部材と、前記散水器および前記通気部材から落下する水を回収する水槽と、前記水槽内の水量を一定に保つための給排水手段とを備えた気液接触装置を用いた請求項１記載の水蒸気白煙防止装置。
【請求項３】
前記水槽内の水の少なくとも一部を前記通気部材に供給して水膜を形成する送水手段を設けた請求項２記載の水蒸気白煙防止装置。
【請求項４】
前記送水手段として、前記混合気体の流動によって作動し、前記水槽内の水を汲み上げて前記通気部材に供給するポンプを設けた請求項３記載の水蒸気白煙防止装置。
【請求項５】
前記ポンプとして、前記混合流体の流動によって回転するファンで作動する軸流ポンプを用いた請求項４記載の水蒸気白煙防止装置。
【発明の詳細な説明】
【技術分野】
【０００１】
本発明は、高温水蒸気を大気中あるいは限られた大空間の空中へ放散させる際に発生する白煙を防止する装置に関する。
【背景技術】
【０００２】
コーラ、コーヒー、お茶、果汁飲料、炭酸飲料などの各種清涼飲料水の製造工場においては、例えば、図５に示すように、工場建物５０の内部に清涼飲料水が冷充填あるいは加温充填されたボトルを連続的に一定温度まで昇温させるためのパストライザ５１や、製品にシュリンク包装を施すためのシュリンクトンネル５２などの各種製造設備が配置されている。これらのパストライザ５１やシュリンクトンネル５２では、加温手段として、一般に高温水蒸気が使用されているが、使用後の高温水蒸気は、排気ダクト５３を経由して、工場建物５０の屋根に配置されたルーフファン５４により大気中へ放出されている。
【０００３】
ルーフファン５４から放出される高温水蒸気は飽和状態にあるため、大気中へ放出されると同時に凝縮して水蒸気白煙５５となる。このような水蒸気白煙５５は、比較的気温が高い日や湿度の低い日であればやがて消失していくので支障はないが、気温の低い冬季あるいは雨天の日などは水蒸気白煙５５の量が大幅に増大し、しかもなかなか消失しないようになる。水蒸気白煙５５自体は物理的にも化学的にも環境公害の原因となることはないが、大量の水蒸気白煙５５が工場建物５０から放出されていると、水蒸気白煙５５が高速道路にたなびいてドライバーの視界を妨げ交通渋滞を起こしたり、恰も大気汚染しているような印象を周辺住民に与えたりすることがある
【０００４】
そこで、このような水蒸気白煙５５の発生を防止する手段として、空気中から取り込んだ外気を加熱して飽和水蒸気に混合して放出する外気加熱方式、あるいは飽和水蒸気を加熱して放出する排気加熱方式などが提案されている。しかしながら、これらの方式は、加熱装置や熱交換器などの大がかりな設備が必要であり、実際に稼働させる場合には加熱装置や熱交換器へ供給する熱媒の熱源用に大量のエネルギが必要である。
【０００５】
一方、所定の飽和蒸気を含む混合気体を、液体と接触させることによって当該蒸気を凝縮（液化）して回収する技術が開発されている（例えば、特許文献１〜３参照。）。
【０００６】
【特許文献１】特開昭５２−１５５１８１号公報（第２−５頁）
【特許文献２】実開昭５６−１２４７７１号公報（第１−２頁）
【特許文献３】特開昭６１−１６７４２４号公報（第２−７頁）
【発明の開示】
【発明が解決しようとする課題】
【０００７】
特許文献１，２に記載されている装置は構造が複雑であるだけでなく、蒸気を含む混合気体を、貯留されている液体中へ吹き込む方式である関係上、混合気体の圧力が高くなければ吹き込みができないため、図５で示したパストライザ５１やシュリンクトンネル５２から発生する水蒸気混じりの混合気体の白煙化防止手段としては不向きである。また、特許文献１に記載された装置は、冷凍機などを稼働させるために多大なエネルギが消費される。
【０００８】
一方、特許文献３に記載された技術は、蒸気混じりの混合気体と液分散ノズルから灌水される水とを所定の充填部において接触させる方式であるため、特許文献１，２に記載された技術のような問題点はないが、水蒸気の凝縮潜熱が循環水を加熱して昇温させるので、継続的に水蒸気凝縮潜熱を処理するため、低い圧力下にある蒸発冷却器へ循環水を導き、断熱自己蒸発を行って循環水の温度を下げている。このような処理を行うには、蒸発冷却器から凝縮加熱器内液分散ノズルへの水搬送用ポンプ、凝縮加熱器から蒸発冷却器内液分散ノズルへの水搬送用ポンプ、蒸発冷却器内の減圧のための圧縮機が必要となり、これらを稼働させるための動力源も必要である。また、この特許文献３に記載の技術は、循環水にて混合ガス内の水蒸気凝縮潜熱を奪う循環水を冷却する手段として、減圧断熱膨張を利用しているため、装置が大がかりとなり、水蒸気白煙防止の目的で使用するにはエネルギ消費量が多すぎる。
【０００９】
本発明が解決しようとする課題は、加熱手段が不要で比較的小型であり、優れた水蒸気白煙防止機能を発揮する、水蒸気白煙防止装置を提供することにある。
【課題を解決するための手段】
【００１０】
本発明の水蒸気白煙防止装置は、水蒸気を含む混合気体を取り込む気密性の第１チャンバと、この第１チャンバ内に配置され前記混合気体を水に接触させる気液接触手段と、この気液接触手段を通過した前記混合気体を取り込んで当該混合気体に当該装置の外部空気を混入させて外部へ放出する気密性の第２チャンバとを備えたことを特徴とする。
【００１１】
水蒸気発生箇所よりダクトなどの経路を経由して送給される水蒸気を含む混合気体を第１のチャンバに取り込んで気液接触手段において水と接触させることによって混合気体に含まれる水蒸気および霧状の白煙を凝縮させ、粒径の大きなミスト状に変化させて除去、回収する。気液接触手段を通過した混合気体は第２チャンバへ送り込まれた後、そこで、当該装置の外部から取り込んだ乾いた空気と混合されることによって、温度や相対湿度が下げられ、混合空気温度が低下した状態で大気中あるいは室内へ放出される。
【００１２】
このような構成とすることにより、混合気体に含まれていた高温飽和水蒸気は冷却されて、その一部が接触水に取り込まれて除去され、また、外部空気により希釈されるので、混合気体の露点は外気温での飽和点よりも低くなり、第２チャンバから放出されたときに水蒸気白煙が発生することがなく、優れた水蒸気白煙防止機能を発揮する。また、飽和水蒸気を含む混合気体を加熱する工程がないので、加熱手段は不要であり、装置を小型化することができる。
【００１３】
ここで、前記気液接触手段としては、前記混合気体と接触させる水を供給する給水手段と、前記給水手段から供給される水を用いて前記混合気体と接触させる水滴を発生させるための散水器と、前記給水手段から供給される水を用いて前記混合気体の通過経路に前記混合気体が接触可能な水膜を形成するための通気部材と、前記散水器および前記通気部材から落下する水を回収する水槽と、前記水槽内の水量を一定に保つための給排水手段とを備えた気液接触装置を用いることが望ましい。なお、通気部材とは、気体が通過可能であって水膜が形成可能な貫通孔、スリット、隙間あるいは網目などの通気手段を備えた部材をいう。
【００１４】
このような装置を用いれば、水蒸気を含む混合気体は、散水器から発生する大小多数の水滴と、通気部材に形成される水膜とに接触することとなるため、混合気体に含まれる水蒸気は速やかに効率的に除去、回収されることとなり、白煙防止機能が向上する。また、前記散水器および前記通気部材から落下する水を回収する水槽内の水量は給排水手段によって一定量に保たれるため、水槽内の水位および水温は一定に保持され、安定した水蒸気除去機能が得られる。
【００１５】
なお、このような気液接触装置としては、例えば、特開平１０−２１６４４７号公報に開示されている排気装置を好適に使用することができ、このような装置を使用することにより、特に、少ない散水量で水蒸気を効率的に除去、回収することができる。また、清涼飲料水の製造工場においては、水温が常温程度の比較的清浄な排用水が存在しており、このような排用水は前記混合気体と接触させる水として利用可能であるため、一定量を気液接触装置へ供給し、ほぼ同量を排水することにより、昇温した水を順次排水していくこともできる。このようにすれば、接触させる水を冷却する冷熱源は特に不要となる。
【００１６】
ここで、前記水槽内の水の少なくとも一部を前記通気部材に供給して水膜を形成する送水手段を設けることが望ましい。このような送水手段を設ければ、前記通気部材には、前記給水手段から供給される水によって形成される水膜に加え、当該送水手段で供給される水によっても水膜が形成されることとなるため、前記混合気体との水膜との接触頻度が増加することとなり、水蒸気除去機能がさらに向上する。
【００１７】
また、当該送水手段により前記水槽から前記通気部材に供給され水膜形成に供された水の一部は、前記通気部材から落下して水槽内に回収されるため、水槽内の水のリサイクル使用が可能となり、水の消費量を低減することができるほか、排水量も減少するので排水処理設備の負担軽減を図ることもできる。
【００１８】
前記送水手段としては、前記混合気体の流動によって作動し、前記水槽内の水を汲み上げて前記通気部材に供給するポンプを設けることが望ましい。このようなポンプを設ければ、モータなどの動力源を用いることなく前記通気部材に水膜を形成することが可能となる。また、前記混合気体の流動状態に応じてポンプの作動状況を自動的に変化させることも可能となるため、処理すべき前記混合気体の流量に対応した水膜形成もできるようになる。
【００１９】
この場合、前記ポンプとして、前記混合気体の流動によって回転するファンで作動する軸流ポンプを用いることが望ましい。このような構成とすれば、混合気体の流動速度に対応してファンの回転数が増減し、これによって軸流ポンプの汲み上げ水量を増減させることが可能となるため、処理すべき前記混合気体の流量に的確に対応した水膜形成を図ることができる。
【００２０】
一方、第１チャンバおよび第２チャンバを構成するケーシングに保温用の断熱材を付設することが望ましい。このような断熱材を付設することにより、ケーシングの内面と外面との間に温度勾配を形成することができるので、ケーシングの内表面の結露を抑制することができる。なお、保温用の断熱材としては、例えば、ウレタンフォームあるいはグラスウールなどが好適である。
【発明の効果】
【００２１】
（１）水蒸気を含む混合気体を取り込む気密性の第１チャンバと、この第１チャンバ内に配置され前記混合気体を水に接触させる気液接触手段と、この気液接触手段を通過した前記混合気体を取り込んで当該混合気体に外気を混入させて外部へ放出する気密性の第２チャンバとを備えたことにより、混合気体に含まれている高温水蒸気を除去することができるため、優れた水蒸気白煙防止機能を発揮する。また、飽和水蒸気を含む混合気体を加熱する工程がないので、加熱手段は不要であり、装置を小型化することができる。
【００２２】
（２）前記気液接触手段として、前記混合気体と接触させる水を供給する給水手段と、給水手段から供給される水を用いて前記混合気体と接触させる水滴を発生させるための散水器と、給水手段から供給される水を用いて混合気体の通過経路に混合気体が接触可能な水膜を形成するための通気部材と、散水器および通気部材から落下する水を回収する水槽と、水槽内の水量を一定に保つための給排水手段とを備えた気液接触装置を用いれば、散水器から発生する多数の水滴および通気部材に形成される水膜との接触によって、混合気体に含まれる水蒸気は速やかに効率的に除去、回収されるため、白煙防止機能が向上する。また、給水排水手段によって水槽内の水位および水温は一定に保たれるため、安定した水蒸気除去機能が得られる。
【００２３】
（３）前記水槽内の水の少なくとも一部を通気部材に供給して水膜を形成する送水手段を設ければ、通気部材には、給水手段から供給される水によって形成される水膜に加え、当該送水手段で供給される水によっても水膜が形成されることとなるため、前記混合気体との水膜との接触頻度が増加することとなり、水蒸気除去機能がさらに向上する。また、水槽内の水のリサイクル使用が可能となり、水の消費量を低減することができるほか、排水量も減少するので排水処理設備の負担軽減を図ることもできる。
【００２４】
（４）前記送水手段として、前記混合気体の流動によって作動し、水槽内の水を汲み上げて通気部材に供給するポンプを設ければ、モータなどの動力源を用いることなく通気部材に水膜を形成することが可能となるほか、処理すべき前記混合気体の流量に対応した水膜形成もできるようになる。
【００２５】
（５）前記ポンプとして、前記混合気体の流動によって回転するファンで作動する軸流ポンプを用いれば、処理すべき前記混合気体の流量に的確に対応した水膜形成を図ることができる。
【発明を実施するための最良の形態】
【００２６】
図１は本発明の実施の形態である水蒸気白煙防止装置を設置した工場を示す概略構成図、図２は図１に示す第１の水蒸気白煙防止装置を示す垂直断面図、図３は図１に示す第２の水蒸気白煙防止装置を示す垂直断面図である。
【００２７】
図１に示すように、工場建物１の内部には、製造ラインを構成するパストライザ２およびシュリンクトンネル３ａ，３ｂが設置され、工場建物１の屋根にはルーフファン４が設置されている。加熱手段として高温水蒸気が使用されているパストライザ２およびシュリンクトンネル３ａ，３ｂから排出された高温飽和水蒸気は、それぞれダクト５，６を経由して、第１の水蒸気白煙防止装置７および第２の水蒸気白煙防止装置８へ導入される。
【００２８】
第２の水蒸気白煙防止装置８と、２台のシュリンクトンネル３ａ，３ｂとの間に配管されたダクト６の途中には、それぞれ気密ダンパ９ａ，９ｂが配置されている。これらの気密ダンパ９ａ，９ｂはシュリンクトンネル３ａ，３ｂの運転状況に合わせて開閉する。すなわち、シュリンク３ａの運転時には気密ダンパ９ａを開、気密ダンパ９ｂを閉とし、シュリンクトンネル３ｂの運転時には気密ダンパ９ａを閉、気密ダンパ９ｂを開とする。
【００２９】
図２に示すように、第１の水蒸気白煙防止装置７は、高温飽和水蒸気を含む混合気体を取り込む気密性の第１チャンバ１１と、この第１チャンバ１１内に配置され前記混合気体を水に接触させる気液接触装置１０と、この気液接触装置１０を通過した前記混合気体を取り込んで当該混合気体に外気を混入させて外部へ放出する気密性の第２チャンバ１２とを備えている。本実施形態では、第１チャンバ１１および第２チャンバ１２は気密性を有するケーシング１３によって一体的に形成されている。
【００３０】
気液接触装置１０は、第１チャンバ１１と第２チャンバ１２とを区画する隔壁１４に固定されている。気液接触装置１０は、後述するように、散水ノズル１８および水槽１９を備えており、外部の給水源１５から配管された給水管１６，１７がそれぞれ散水ノズル１８および水槽１９に接続されている。気液接触装置１０の真下に位置する第１チャンバ１１の底部には、気液接触装置１０から落下する水滴を回収するためのドレンパン２０が配置され、ドレンパン２０に溜まった水を排出するための排水管２１がケーシング１３を貫通して第１チャンバ１１の外部へ配管されている。また、水槽１９内の余剰水を排出するための排水管２２が排水管２１に連結されている。
【００３１】
第１チャンバ１１の上方に位置する第２チャンバ１２のケーシング側面部には、当該水蒸気白煙防止装置７の外部空気を第２チャンバ１２内に取り込むための吸込口２３が設けられ、第２チャンバ１２のケーシング上面部には、第２チャンバ１２内の気体を外部へ排出するための排気ファン２４が配置されている。
【００３２】
一方、図３に示す第２の水蒸気白煙防止装置８は、第１の水蒸気白煙防止装置７と同じ構造であるため、図２と同じ符号を付して説明を省略する。なお、図３に示すように、第２の水蒸気白煙防止装置８の場合、水蒸気発生箇所である２台のシュリンクトンネル３ａ，３ｂとの間に配管されたダクト６に、プレヒート設備２５からの高温飽和水蒸気を導入するダクト２７が合流配管されている。このように、第２の水蒸気白煙防止装置８は、第１の水蒸気白煙防止装置７と比べ、高温水蒸気を導入するダクト６の途中に、風路切り替え手段として、気密ダンパ９ａ，９ｂが設けられている点が異なっている。
【００３３】
なお、第１，２の水蒸気白煙防止装置７，８において、排気ファン２４の位置は第２チャンバ１２の出口に限定するものではなく、第１チャンバ１１にあっても良く、その場合、外部空気の吸込口２３への吸い込み経路に給気ファンを設けることが望ましい。
【００３４】
ここで、図４を参照して、第１の水蒸気白煙防止装置７および第２の水蒸気白煙防止装置８を構成する気液接触装置１０について説明する。図４に示すように、気液接触装置１０は、四角錐台を倒立させた形状のケーシング２６と、その下方に配置された水槽１９とを備えている。ケーシング２６内には通気性を有する２枚の鎧板２９がＶ溝状に配置され、ケーシング２６の底部には、複数の排気孔２８ａを有する排気パネル２８が配置されている。鎧板２９とケーシング２６とによって形成されたＶ形状の排気間隙３０の上部にはそれぞれ散水ノズル１８が配置されている。この排気パネル２８が、高温飽和水蒸気を含む混合気体の通過経路に当該混合気体が接触可能な水膜を形成するための通気部材として機能する。
【００３５】
図４に示すように、給水管１６を経由して供給される水は散水ノズル１８から排気間隙３０に向かって散水され、排気パネル２８に到達し、その上面に沿って拡散したり、排気孔２８ａを通過して下面に沿って拡散したりして水膜を形成した後、排気パネル２８の下面あるいは排気孔２８ａから落下して、水槽１９内へ回収される。水槽１９には、その底面から上方に向かって一定長さ突出した排水管２２が配管されるとともに、水槽１９の上面に臨む位置に給水管１７が配管されている。水槽１９内の水Ｗの量が過剰となり排水管２２の上端開口部２２ａより水位が高くなると、余剰水はこの上端開口部２２ａから自動排出され、水Ｗの量が減少したときは給水管１７から自動補給されるようになっているため、水槽１９内の水Ｗの量は常に一定を保持する。
【００３６】
次に、図２，図４を参照して、第１の水蒸気白煙防止装置７の機能について説明する。なお、第２の水蒸気白煙防止装置８の機能は、これから説明する第１の水蒸気白煙防止装置７と同様である。水蒸気白煙防止装置７の排気ファン２４を作動させると第２チャンバ１２および第１チャンバ１１内に負圧が生じるため、パストライザ２で発生する高温飽和水蒸気を含む混合気体Ｇはダクト５を経由して第１チャンバ１１内に取り込まれる。
【００３７】
図４に示すように、第１チャンバ１１内に取り込まれた混合気体Ｇは、第２チャンバ１２内の負圧により第１チャンバ１１内を上昇し、水槽１９とケーシング２６との隙間および排気パネル２８の排気孔２８ａを通過してケーシング２６内へ導入される。このとき、ケーシング２６内の排気間隙３０は、散水ノズル１８からの散水によって発生した大小多数の水滴が落下したり、浮遊したりしている状態にあり、散水ノズル１８から落下した水滴によって排気パネル２８の排気孔２８ａには薄い水膜が形成されている。
【００３８】
したがって、排気パネル２８の下面付近まで接近してきた混合気体Ｇは、排気パネル２８の排気孔２８ａを通過する際に、排気孔２８ａに形成されている薄い水膜にバブリングされながら通過し、この後、排気パネル２８の上方に位置するケーシング２６内の排気間隙３０に浮遊している、散水ノズル１８から噴出した水滴と接触することによって急激に温度が低下する。このとき、混合気体Ｇに含まれている水蒸気は凝縮して、大きな粒径のミストへと変化し、散水ノズル１８から散水されている水滴に取り込まれてケーシング２６内を落下していき、排気パネル２８の排気孔２８ａを通過して、その下方にある水槽１９内へ回収される。
【００３９】
一方、前述した過程によって水蒸気が凝縮除去された後の混合気体Ｇは、鎧板２９を通過して第２チャンバ１２内へ導入され、ここで、吸込口２３から導入された当該装置７の外部の乾いた空気を混入させることによって十分に希釈され、その温度と相対湿度が低下させられ後、排気ファン２４を通過して工場建物１の内部へ放出される。このように、第１の水蒸気白煙防止装置７を通過することによって高温飽和水蒸気は冷却され、その一部が接触水に取り込まれて除去され、混合気体Ｇの露点は外気温での飽和点より低くなるため、排気ファン２４から放出される気体中の水蒸気は飽和状態ではなくなり、白煙化することもない。したがって、工場建物１の屋根にあるルーフファン４から排出される気体が白煙化することもない。
【００４０】
また、水蒸気白煙防止装置７においては、飽和水蒸気を含む混合気体を加熱する必要がないので、加熱手段は不要であり、装置を小型化することができる。さらに、水蒸気白煙防止装置７からの排気を工場建物１の内部へ排出するようにしたことにより、ルーフファン４へ排気を導くための排気ダクトは不要となるため、工場建物１の内部スペースを有効活用することができる。
【００４１】
本実施形態においては、気液接触手段として、図４に示すような気液接触装置１０を用いているため、処理後の混合気体Ｇが外気温で飽和点以下になるように混合気体Ｇに含まれる高温飽和水蒸気を速やかに効率的に凝縮除去、回収することが可能であり、優れた白煙防止機能を発揮する。なお、この気液接触装置１０は、特開平１０−２１６４４７号公報に開示されている排気装置とほぼ同様の構造、機能を備えたものであるが、前記公報の図１および図２に示されている排気装置のようにファン４９で作動するポンプＰを備えた構造とすることもできる。
【００４２】
また、本実施形態においては、第１チャンバ１１および第２チャンバ１２を構成するケーシング１３の素材であるパネルの両側外皮に挟まれる内容材に保温用断熱材としてウレタンフォーム（図示せず）を付設している。このような断熱材を付設することにより、ケーシング１３の内表面の温度低下が抑制されるため、ケーシング１３の内側が結露するのを抑制することができる。
【産業上の利用可能性】
【００４３】
本発明の水蒸気白煙防止装置は、コーラ、コーヒー、お茶、果汁飲料、炭酸飲料などの各種清涼飲料水の製造工場をはじめ、高温水蒸気を使用する加熱装置や高温水蒸気が発生する各種装置を備えた工場あるいは建築物において広く利用することができる。
【図面の簡単な説明】
【００４４】
【図１】本発明の実施の形態である水蒸気白煙防止装置を設置した工場を示す概略構成図である。
【図２】図１に示す第１の水蒸気白煙防止装置を示す垂直断面図である。
【図３】図１に示す第２の水蒸気白煙防止装置を示す垂直断面図である。
【図４】図２，図３に示す水蒸気白煙防止装置を構成する気液接触装置を示す垂直断面図である。
【図５】従来の水蒸気排出システムが設置された工場を示す概略構成図である。
【符号の説明】
【００４５】
１  工場建物
２  パストライザ
３ａ，３ｂ  シュリンクトンネル
４  ルーフファン
５，６，２７  ダクト
７  第１の水蒸気白煙防止装置
８  第２の水蒸気白煙防止装置
９ａ，９ｂ  気密ダンパ
１０  気液接触装置
１１  第１チャンバ
１２  第２チャンバ
１３，２６  ケーシング
１４  隔壁
１５  給水源
１６，１７  給水管
１８  散水ノズル
１９  水槽
２０  ドレンパン
２１，２２  排水管
２２ａ  上端開口部
２３  吸込口
２４  排気ファン
２５  プレヒート設備
２８  排気パネル
２８ａ  排気孔
２９  鎧板
３０  排気間隙
Ｇ  混合気体
Ｐ  ポンプ
Ｗ  水
【図１】
2005046739.tif 000003
【図２】
2005046739.tif 000004
【図３】
2005046739.tif 000005
【図４】
2005046739.tif 000006
【図５】
2005046739.tif 000007